(57)【要約】【課題】フィルタ素子の色が見えにくい照明装置を提供する。【解決手段】照明装置１００は、発光モジュール１３０と、発光モジュール１３０からの光が出射される出射口１２２を有し、発光モジュール１３０を収容する筐体１２０と、筐体１２０内の発光モジュール１３０と出射口１２２との間に設けられ、発光モジュール１３０からの光の一部の波長成分をカットするフィルタ素子１６０とを備え、筐体１２０の外側から視認した場合のフィルタ素子１６０の輪郭の長さをＡ［ｍｍ］、発光モジュール１３０とフィルタ素子１６０との間隔をＬ［ｍｍ］とした場合、Ａ≦８×Ｌである。【選択図】図６
2016149269.tif 000002
【特許請求の範囲】
【請求項１】
光源と、
前記光源からの光が出射される出射口を有し、前記光源を収容する筐体と、
前記筐体内の前記光源と前記出射口との間に設けられ、前記光源からの光の一部の波長成分をカットするフィルタ素子とを備え、
前記筐体の外側から見える前記フィルタ素子の輪郭の長さをＡ［ｍｍ］、前記光源と前記フィルタ素子との間隔をＬ［ｍｍ］とした場合、Ａ≦８×Ｌである
照明装置。
【請求項２】
光源と、
前記光源からの光が出射される出射口を有し、前記光源を収容する筐体と、
前記筐体内の前記光源と前記出射口との間に設けられ、前記光源からの光の一部の波長成分をカットするフィルタ素子とを備え、
前記筐体の外側から見える前記フィルタ素子の面積をＳ［ｍｍ２］、前記光源と前記フィルタ素子との間隔をＬ［ｍｍ］とした場合、Ｓ／Ｌ≦５０である
照明装置。
【請求項３】
光源と、
前記光源からの光が出射される出射口を有し、前記光源を収容する筐体と、
前記筐体内の前記光源と前記出射口との間に設けられ、前記光源からの光の一部の波長成分をカットするフィルタ素子と、
前記筐体の内部に配置される筒体であって、前記光源と前記フィルタ素子との間に配置された筒体とを備え、
前記筒体、前記光源、及び前記フィルタ素子により囲まれる空間の体積をＶ［ｍｍ３］、前記筐体の外側から見える前記フィルタ素子の面積をＳ［ｍｍ２］とした場合、Ｖ／Ｓ≧１０である
照明装置。
【請求項４】
さらに、前記筐体の内部であって、前記光源と前記フィルタ素子との間に配置された筒体を備える
請求項１または２に記載の照明装置。
【請求項５】
前記筒体の内壁は、黒色である
請求項３または４に記載の照明装置。
【請求項６】
前記フィルタ素子の、５８５ｎｍ以上５９５ｎｍ以下の波長成分の光に対する透過率は、５０％以下である
請求項１〜５のいずれか１項に記載の照明装置。
【請求項７】
前記フィルタ素子が含有する色素には、ニッケルが含まれる
請求項１〜６のいずれか１項に記載の照明装置。
【請求項８】
前記筐体の外側から見える前記フィルタ素子の形状は、円形である
請求項１〜７のいずれか１項に記載の照明装置。
【発明の詳細な説明】
【技術分野】
【０００１】
本発明は、光の一部の波長成分をカットするフィルタ素子を備える照明装置に関する。
【背景技術】
【０００２】
近年、工業製品におけるデザインの重要性は高まっており、照明装置においても様々なデザインの工夫がなされている。特に、室内で使用される照明装置では、美的外観が重視される傾向にある。例えば、特許文献１には、消灯時に照明装置の内部の光源が目立ちにくく、外観の見栄えを良くしたフットライトが開示されている。
【先行技術文献】
【特許文献】
【０００３】
【特許文献１】特開２０１０−２７７７０８号公報
【発明の概要】
【発明が解決しようとする課題】
【０００４】
ところで、光源からの光の一部の波長成分をカットするフィルタ素子を備える照明装置においては、消灯時にフィルタ素子の色が見えることにより、外観が悪化してしまう場合がある。
【０００５】
そこで、本発明は、フィルタ素子の色が見えにくい照明装置を提供する。
【課題を解決するための手段】
【０００６】
本発明の一態様に係る照明装置は、光源と、前記光源からの光が出射される出射口を有し、前記光源を収容する筐体と、前記筐体内の前記光源と前記出射口との間に設けられ、前記光源からの光の一部の波長成分をカットするフィルタ素子とを備え、前記筐体の外側から見える前記フィルタ素子の輪郭の長さをＡ［ｍｍ］、前記光源と前記フィルタ素子との間隔をＬ［ｍｍ］とした場合、Ａ≦８×Ｌである。
【０００７】
本発明の一態様に係る照明装置は、光源と、前記光源からの光が出射される出射口を有し、前記光源を収容する筐体と、前記筐体内の前記光源と前記出射口との間に設けられ、前記光源からの光の一部の波長成分をカットするフィルタ素子とを備え、前記筐体の外側から見える前記フィルタ素子の面積をＳ［ｍｍ２］、前記光源と前記フィルタ素子との間隔をＬ［ｍｍ］とした場合、Ｓ／Ｌ≦５０である。
【０００８】
本発明の一態様に係る照明装置は、光源と、前記光源からの光が出射される出射口を有し、前記光源を収容する筐体と、前記筐体内の前記光源と前記出射口との間に設けられ、前記光源からの光の一部の波長成分をカットするフィルタ素子と、前記筐体の内部に配置される筒体であって、前記光源と前記フィルタ素子との間に配置された筒体とを備え、前記筒体、前記光源、及び前記フィルタ素子により囲まれる空間の体積をＶ［ｍｍ３］、前記筐体の外側から見える前記フィルタ素子の面積をＳ［ｍｍ２］とした場合、Ｖ／Ｓ≧１０である。
【発明の効果】
【０００９】
本発明によれば、フィルタ素子の色が見えにくい照明装置が実現される。
【図面の簡単な説明】
【００１０】
【図１】図１は、実施の形態１に係る照明装置を備える照明器具の外観斜視図である。
【図２】図２は、実施の形態１に係る照明装置の外観斜視図である。
【図３】図３は、実施の形態１に係る照明装置を下側から見た分解斜視図である。
【図４】図４は、実施の形態１に係る照明装置を上側から見た分解斜視図である。
【図５】図５は、実施の形態１に係るフィルタ素子の特性を示す図である。
【図６】図６は、実施の形態１に係る照明装置の部品配置を説明するための図である。
【図７】図７は、実施の形態１に係る筒体内の反射の様子を示す模式断面図である。
【図８】図８は、比較例に係る筒体内の反射の様子を示す模式断面図である。
【発明を実施するための形態】
【００１１】
以下、実施の形態について、図面を参照しながら具体的に説明する。なお、以下で説明する実施の形態は、いずれも包括的または具体的な例を示すものである。以下の実施の形態で示される数値、形状、材料、構成要素、構成要素の配置位置および接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１２】
なお、各図は、模式図であり、必ずしも厳密に図示されたものではない。また、各図において、実質的に同一の構成に対しては同一の符号を付しており、重複する説明は省略または簡略化される場合がある。
【００１３】
（実施の形態１）
［構成］
以下、実施の形態１に係る照明装置の構成について説明する。図１は、実施の形態１に係る照明装置を備える照明器具の外観斜視図である。
【００１４】
図１に示される照明器具１０は、天井面に取り付けられる平面視形状が円形の照明器具（シーリングライト）である。照明器具１０は、本体部１１の外縁部分に等間隔に配置された３つの照明装置１００を備える。
【００１５】
照明装置１００は、照明器具１０の本体部１１が照明する室内を、さらに局所的に照明するためのスポットライトである。照明装置１００は、本体部１１から供給される直流電力により発光する。
【００１６】
次に、照明装置１００の構成について説明する。図２は、照明装置１００の外観斜視図である。図３は、照明装置１００を下側から見た分解斜視図であり、図４は、照明装置１００を上側から見た分解斜視図である。なお、以下の説明では、図中のＺ軸＋側を「上側」、図中のＺ軸−側を「下側」と表現する。なお、「下側」は、光出射側とも記載される。
【００１７】
図２〜図４に示されるように、照明装置１００は、筐体保持部１１０と、筐体１２０（第一筐体１２０ａ及び第二筐体１２０ｂ）と、発光モジュール１３０と、筒体１４０と、レンズ１５０と、フィルタ素子１６０とを備える。
【００１８】
筐体保持部１１０は、筐体１２０を、当該筐体１２０の姿勢（照明装置１００の光の照射方向）の変更が可能な状態で保持する部材である。筐体保持部１１０には、具体的には、略半球状の凹部１１１が設けられ、凹部１１１に筐体１２０の一部（主として第一筐体１２０ａ）を収容した状態で、筐体１２０を保持する。筐体保持部１１０は、例えば、樹脂によって形成されるが、金属などで形成されてもよい。なお、筐体保持部１１０は、照明装置１００が本体部１１に組み込まれた状態において本体部１１の内部に位置し、外部からは視認できない。
【００１９】
筐体１２０は、発光モジュール１３０、筒体１４０、レンズ１５０、及びフィルタ素子１６０を収容する、外形が略球状の外郭筐体である。筐体１２０は、具体的には、第一筐体１２０ａ及び第二筐体１２０ｂからなる。
【００２０】
第一筐体１２０ａは、筐体１２０のうち、発光モジュール１３０が接続（載置）される支柱１２１を有する部分である。第一筐体１２０ａは、略半球状であり、アルミニウムなどの金属材料により形成される。第一筐体１２０ａは、発光モジュール１３０のヒートシンクとしても機能するため、金属材料により形成されることが望ましいが、樹脂材料により形成されてもよい。なお、図示されないが、発光モジュール１３０と支柱１２１との間に放熱部材（放熱用のシリコーン及び放熱シートなど）が設けられてもよい。
【００２１】
第二筐体１２０ｂは、筐体１２０のうち、発光モジュール１３０からの光が出射される出射口１２２を有する部分である。第二筐体１２０ｂは、略半球状であり、例えば、ＰＢＴ（ポリブチレンテレフタレート）等の絶縁性樹脂材料によって形成されるが、金属材料によって形成されてもよい。
【００２２】
出射口１２２は、円形の開口であり、第二筐体１２０ｂの内側からフィルタ素子１６０によって塞がれる。出射口１２２の径は、フィルタ素子１６０の径よりも小さい。
【００２３】
第二筐体１２０ｂの内側であって、出射口１２２の周囲には、出射口１２２を囲む環状の段差部１２７（図４に図示）が設けられる。段差部１２７は、レンズ１５０及びフィルタ素子１６０の位置規制用（配置）用の段差である。
【００２４】
第一筐体１２０ａと第二筐体１２０ｂとは、上方（Ｚ軸＋側）から挿入されるネジによって固定される。具体的には、第一筐体１２０ａのネジ挿通孔１２３ａに挿通されたネジが第二筐体１２０ｂのボス１２４ａにネジ止めされ、かつ、ネジ挿通孔１２３ｂに挿通されたネジが、ボス１２４ｂにネジ止めされることにより、第一筐体１２０ａと第二筐体１２０ｂとが固定される。
【００２５】
発光モジュール１３０は、光源の一例であって、本体部１１から供給される直流電力によって白色等の所定の色（波長）の光を発する。発光モジュール１３０から放出された光は、レンズ１５０及びフィルタ素子１６０をこの順に透過して照明装置１００の外部に出射される。発光モジュール１３０は、具体的には、基板１３１と、発光部１３２とからなる。
【００２６】
基板１３１は、第一主面（Ｚ軸−側の主面）を有し、当該第一主面に発光部１３２を構成するＬＥＤ（発光素子）が複数実装された、略矩形の基板である。基板１３１の第一主面には、複数のＬＥＤに電力を供給するための配線パターンが設けられる。基板１３１は、具体的には、例えば、セラミック基板、樹脂基板、またはメタルベース基板などである。
【００２７】
発光部１３２は、基板１３１に実装された複数のＬＥＤと、当該複数のＬＥＤを封止する封止部材とからなるＣＯＢ（Ｃｈｉｐ  Ｏｎ  Ｂｏａｒｄ）構造の発光部であり、白色光を発する。発光部１３２の平面視形状は、円形である。
【００２８】
発光部１３２を構成するＬＥＤは、例えば、ＩｎＧａＮ系の材料によって構成された、中心波長（発光スペクトルのピーク波長）が４３０ｎｍ以上４８０ｎｍ以下の窒化ガリウム系のＬＥＤチップが採用される。つまり、発光部１３２を構成するＬＥＤは、青色光を発する。
【００２９】
また、詳細については図示されないが、発光部１３２を構成する複数のＬＥＤは、主に、ボンディングワイヤによってＣｈｉｐ  Ｔｏ  Ｃｈｉｐで接続される。なお、ボンディングワイヤ、及び、上述の配線パターンの金属材料は、例えば、金（Ａｕ）、銀（Ａｇ）、または、銅（Ｃｕ）等である。
【００３０】
発光部１３２を構成する封止部材は、具体的には、波長変換材として黄色蛍光体粒子を含んだ透光性樹脂材料で構成される。透光性樹脂材料としては、例えば、シリコーン樹脂が用いられるが、エポキシ樹脂またはユリア樹脂などが用いられてもよい。また、黄色蛍光体粒子には、例えば、イットリウム・アルミニウム・ガーネット（ＹＡＧ）系の蛍光体粒子が採用される。
【００３１】
発光モジュール１３０においては、複数のＬＥＤが発した青色光の一部は、封止部材に含まれる黄色蛍光体粒子によって黄色光に波長変換される。そして、黄色蛍光体粒子に吸収されなかった青色光と、黄色蛍光体粒子によって波長変換された黄色光とは、封止部材中で拡散及び混合される。これにより、発光モジュール１３０（封止部材）からは、白色光が出射される。上記透光性樹脂材料には、演色性を高めることなどを目的として、黄色蛍光体粒子の他に、赤色蛍光体粒子及び緑色蛍光体粒子などが含まれてもよい。
【００３２】
なお、封止部材は、このような波長変換機能に加えて、複数のＬＥＤ及びボンディングワイヤを、塵芥、水分、外力等から保護する機能も有する。
【００３３】
以上のような構成の発光モジュール１３０は、基板１３１の第二主面（Ｚ軸＋側の主面、第一主面と反対側の主面）において、第一筐体１２０ａの内部に設けられた支柱１２１と接続される。なお、発光モジュール１３０への給電は、第一筐体１２０ａに設けられたケーブル挿通孔１２５(図４に図示)に挿通されるケーブル（図示せず）により行われる。
【００３４】
筒体１４０は、筐体１２０の内部であって、発光モジュール１３０とレンズ１５０（フィルタ素子１６０）との間に配置された略円筒状の部材である。具体的には、筒体１４０は、発光モジュール１３０側に設けられた第一開口１４１と、第一開口１４１と連通する開口であって、レンズ１５０側に設けられた開口である第二開口１４２とを有する。なお、第一開口１４１の内径は、第二開口１４２の内径よりも小さい。発光モジュール１３０は、第一開口１４１を塞ぐように配置され、レンズ１５０は、第二開口１４２を塞ぐように配置される。筒体１４０は、具体的には、ＰＢＴ等の樹脂材料によって形成されるが、金属材料によって形成されてもよい。
【００３５】
筒体１４０の外壁には、ネジ挿通孔１４４ａを形成する取付部１４５ａと、ネジ挿通孔１４４ｂを形成する取付部１４５ｂとが設けられる。筒体１４０は、下方（Ｚ軸−側）から挿入されるネジによって第一筐体１２０ａに取り付けられる。筒体１４０は、具体的には、ネジ挿通孔１４４ａに挿通されるネジが第一筐体１２０ａのネジ穴１２６ａにネジ止めされ、かつ、ネジ挿通孔１４４ｂに挿通されるネジが第一筐体１２０ａのネジ穴１２６ｂにネジ止めされることにより、第一筐体１２０ａに取り付けられる。
【００３６】
筒体１４０の第一開口１４１の内径は、発光部１３２の径よりもわずかに大きい。筒体１４０の第二開口１４２の内径（直径）は、レンズ１５０の直径よりも小さく、また、フィルタ素子１６０の直径よりもわずかに小さい。
【００３７】
なお、以下の実施の形態では、発光モジュール１３０、筒体１４０、及びレンズ１５０により囲まれる空間を内部空間１４３と記載する。内部空間１４３は、言い換えれば、筒体１４０により囲まれる空間のうち、第一開口１４１と第二開口１４２との間に位置する空間である。
【００３８】
レンズ１５０は、特定の光学特性を有する光学部材であり、実施の形態１では、発光モジュール１３０からの光を拡散（または平行化）するための凸レンズ（フレネルレンズ）である。レンズ１５０の平面視形状は、略円形（一部が外周側から切り欠かれた円形）であり、レンズの入射面（Ｚ軸＋側の面）には、環状のプリズムが設けられる。
【００３９】
レンズ１５０は、例えば、アクリル（ＰＭＭＡ）やポリカーボネート（ＰＣ）等の樹脂材料により形成される。なお、レンズ１５０には、レンズ１５０から出射される光のムラを抑制するためのディンプルが設けられてもよい。この場合、ディンプルは、例えば、レンズ１５０の出射面（Ｚ軸−側の面）に設けられる。
【００４０】
レンズ１５０は、発光モジュール１３０とフィルタ素子１６０との間に配置される。また、レンズ１５０は、第二筐体１２０ｂの段差部１２７に沿って配置される。レンズ１５０のＸ−Ｙ平面上の位置は、段差部１２７によって規制される。
【００４１】
また、レンズ１５０は、筒体１４０の第二開口１４２を塞ぐように、筒体１４０の光出射側に配置される。レンズ１５０のＺ軸方向の位置は、筒体１４０の第二開口１４２を形成する端部１４７が上側（Ｚ軸＋側）からレンズ１５０に当接することにより規制される。また、レンズ１５０は、発光モジュール１３０とフィルタ素子１６０との間に、発光部１３２と対向した状態で配置される。
【００４２】
フィルタ素子１６０は、筐体１２０内の発光モジュール１３０と出射口１２２との間に設けられ、発光モジュール１３０からの光の一部の波長成分をカットする光学フィルタである。フィルタ素子１６０は、具体的には、出射口１２２を筐体１２０の内側から塞ぎ、発光モジュール１３０からの光の一部の波長成分を吸収する。フィルタ素子１６０は、一部が外周側から切り欠かれた円形板状であるが、矩形板状などその他の形状であってもよい。フィルタ素子１６０の径は、レンズ１５０の径よりも小さい。つまり、フィルタ素子１６０のレンズ１５０と対向する面の面積は、レンズ１５０のフィルタ素子１６０と対向する面の面積よりも小さい。
【００４３】
フィルタ素子１６０は、段差部１２７のうち、レンズ１５０が配置される段差よりも出射口１２２側に位置する段差に沿って配置される。つまり、フィルタ素子１６０は、レンズ１５０と出射口１２２との間に配置される。フィルタ素子１６０のＸ−Ｙ平面上の位置は、段差部１２７によって規制され、フィルタ素子１６０のＺ軸方向の位置は、レンズ１５０が上側（Ｚ軸＋側）からフィルタ素子１６０に当接することにより規制される。なお、レンズ１５０とフィルタ素子１６０との間の距離（あそび）は、約０．５ｍｍである。
【００４４】
フィルタ素子１６０は、具体的には、銅（Ｃｕ）、ニッケル（Ｎｉ）、及びコバルト（Ｃｏ）などの金属元素を含むテトラアザポルフィリン系の色素を含有するアクリル樹脂により形成されており、うす紫色に見える。実施の形態１では、フィルタ素子１６０が含有する色素には、ニッケルが含まれる。
【００４５】
また、フィルタ素子１６０は、このような色素により、主として５８５ｎｍ以上５９５ｎｍ以下の波長成分を吸収する特性を有する。図５は、フィルタ素子１６０の特性を示す図である。なお、図５の縦軸は光の透過率を示し、横軸は光の波長を示す。
【００４６】
図５に示されるように、フィルタ素子１６０の、５８５ｎｍ以上５９５ｎｍ以下の波長成分の光に対する透過率は、５０％以下である。このようなフィルタ素子１６０の特性により、照明装置１００が発する光の、平均演色評価数Ｒａ、肌色の好ましさを示す指数ＰＳ（Ｐｒｅｆｅｒｅｎｃｅ  Ｉｎｄｅｘ  ｏｆ  Ｓｋｉｎ  Ｃｏｌｏｒ）、及び、色彩の鮮やかさを示す指数ＦＣＩ（Ｆｅｅｌｉｎｇ  ｏｆ  Ｃｏｎｔｒａｓｔ  Ｉｎｄｅｘ）などを向上させることができる。
【００４７】
なお、フィルタ素子１６０を構成するアクリル樹脂には、紫外線吸収剤（ＵＶＡ：Ｕｌｔｒａｖｉｏｌｅｔ  Ａｂｓｏｒｂｅｒ）、光安定剤（ＨＡＬＳ：Ｈｉｎｄｅｒｅｄ  Ａｍｉｎｅ  Ｌｉｇｈｔ  Ｓｔａｂｉｌｉｚｅｒ）などが含まれてもよい。また、フィルタ素子１６０を構成するアクリル樹脂には、アクリル樹脂の劣化を抑制するクエンチャーなどが含まれてもよい。また、フィルタ素子１６０は、ポリカーボネート樹脂等、他の樹脂材料により形成されてもよい。
【００４８】
［特徴構成］
照明装置１００では、消灯時にフィルタ素子１６０の色が見えてしまい、照明装置１００の外観が悪化してしまうことが課題である。
【００４９】
ここで、フィルタ素子１６０の色が見えてしまう第一の要因は、外部からの光がフィルタ素子１６０で反射することである。第二の要因は、フィルタ素子１６０を通じて筐体１２０の中に入った外光が筐体１２０の内部（筒体１４０の内部）で反射し、フィルタ素子１６０を通じて再度照明装置１００の外部に出ることである。
【００５０】
本願発明者は、上記第二の要因に着目し、当該第二の要因の影響を低減することによりフィルタ素子１６０の色を見えにくくすることができる部品配置を見出した。以下、このような部品配置について説明する。図６は、照明装置１００の部品配置を説明するための図である。図６の（ａ）は、照明装置１００の断面図であり、図６の（ｂ）は、照明装置１００の下面図（光出射側から見た図）である。なお、図６では、筐体保持部１１０については図示が省略されている。
【００５１】
図６では、発光モジュール１３０と、フィルタ素子１６０との間隔（≒筒体１４０の第一開口１４１から第二開口１４２までの長さ）は、Ｌ［ｍｍ］、筐体１２０の外側から見えるフィルタ素子１６０の輪郭（外周）の長さは、Ａ［ｍｍ］と記載されている。なお、「外側から見える輪郭」とは、より詳細には、光軸方向（Ｚ軸方向）から照明装置１００を見た場合に出射口１２２から露出して見えるフィルタ素子１６０の有効な輪郭を意味する。以下の実施の形態においても同様である。
【００５２】
長さＬは、より正確には、発光モジュール１３０の下端（Ｚ軸−側の端、光出射側の端）から、フィルタ素子１６０の上端（Ｚ軸＋側の端）までの長さである。このとき、照明装置１００では、Ａ≦８×Ｌとなる。実施の形態１では、具体的には、Ｌ＝１１［ｍｍ］、Ａ＝６９［ｍｍ］である。なお、図６では、出射口１２２の直径（筐体１２０の外側から見えるフィルタ素子１６０の有効な直径）は、ＡＬと記載され、具体的には、ＡＬ＝２２［ｍｍ］である。
【００５３】
上記の第二の要因の影響は、筒体１４０内に入射した外光の反射回数を増やすことにより低減できる。つまり、反射により光量を減衰させることで、フィルタ素子１６０の色を見えにくくすることができる。図７は、筒体１４０内の反射の様子を示す模式断面図である。図８は、比較例に係る筒体内の反射の様子を示す模式断面図である。なお、以下の説明における反射回数は、模式図に基づくものであり、厳密なものではない。
【００５４】
フィルタ素子１６０に対して外光が全方向から入射するとした場合、フィルタ素子１６０への外光の入射角θ（光線の発光モジュール１３０の光軸Ｊに対する角度）に応じて、筒体１４０内の反射回数が異なる。
【００５５】
上述のように、実施の形態１では、Ｌ＝１１［ｍｍ］、ＡＬ＝２２［ｍｍ］である。この条件において、入射角θが０°のときは、反射回数は、１回であり、（図７の（ａ））、入射角θが０°＜θ＜４５°のときは、反射回数は、２回（図７の（ｂ））である。
【００５６】
入射角θが４５°以上になると、筒体１４０内に入射した外光は、少なくとも３回反射した後、再び照明装置１００の外部に出ることとなる（図７の（ｃ））。なお、入射角θが７７．５°以上になると、反射回数は、５回以上になる（図７の（ｄ））。
【００５７】
このように、照明装置１００では、フィルタ素子１６０に４５°以上の入射角θで入射した外光を筒体１４０内で３回以上反射させることができる。これは、Ｌ＝１１［ｍｍ］、ＡＬ＝２２［ｍｍ］の場合、Ｌ：ＡＬ＝１：２となるためである。
【００５８】
これに対し、図８に示されるように、上述のＡ≦８×Ｌの条件を満たさない比較例に係る照明装置においては、照明装置１００よりも入射角θが４５°以上の場合における反射回数が少なくなる。例えば、図８の（ａ）に示されるように、出射口１２２の直径がＡ１（＞ＡＬ）であり、かつ、発光モジュール１３０とフィルタ素子１６０との間隔がＬである場合には、入射角θが４５°のときの反射回数は、２回である。また、図８の（ｂ）に示されるように、出射口１２２の直径がＡＬであり、かつ、発光モジュール１３０とフィルタ素子１６０との間隔がＬ１＜Ｌである場合には、入射角θが４５°のときの反射回数は、２回である。
【００５９】
以上説明したように、Ａ≦８×Ｌの条件を満たせば、外光の入射角θが概ね４５°以上の場合に、入射した外光を筐体１２０の内部（筒体１４０）において３回以上反射させることができる。このように反射回数が増やされることによって、入射した外光は、減衰されてから再び照明装置１００の外部に出る。したがって、消灯時にフィルタ素子１６０の色を見えにくくすることができる。
【００６０】
なお、図７及び図８では、入射した外光は、筒体１４０の内壁において反射された。ここで、筒体１４０が設けられない場合も、Ａ≦８×Ｌの条件を満たせば、フィルタ素子１６０の色を見えにくくする効果が得られる。筐体１２０の外側から視認した場合のフィルタ素子１６０の輪郭の長さＡは、言い換えれば、筐体１２０の内部に入射する外光の入り口となる部分の大きさを示す。上記Ａ≦８×Ｌの条件においては、長さＡが大きくなることにより筐体１２０の内部に入射する外光の量が増えるほど、発光モジュール１３０までの距離は長くなり、この結果、反射回数が増えることで、フィルタ素子１６０の色を見えにくくする効果が得られる。
【００６１】
また、Ａ≦８×Ｌの条件は、筐体１２０の外側から視認した場合のフィルタ素子１６０の輪郭の長さを用いて表現されている。ここで、筐体１２０の外側から見えるフィルタ素子１６０の面積Ｓ［ｍｍ］（図６の（ｂ）においてドットのハッチングがされた領域の面積）を用いると、上記の条件は、Ｓ／Ｌ≦５０と表現される。つまり、筐体１２０の外側から視認した場合のフィルタ素子１６０の面積をＳ［ｍｍ２］、発光モジュール１３０とフィルタ素子１６０との間隔をＬ［ｍｍ］とした場合、Ｓ／Ｌ≦５０を満たせば、フィルタ素子１６０の色を見えにくくする効果が得られる。
【００６２】
［変形例］
上記実施の形態１のように、フィルタ素子１６０を通じて筐体１２０の内部に入射した外光が筒体１４０の内壁で反射される場合、フィルタ素子１６０の色を見えにくくするための条件は、内部空間１４３（図６の（ａ）において図示）の体積により規定されてもよい。なお、内部空間１４３は、上述のように、筒体１４０、発光モジュール１３０、及びフィルタ素子１６０により囲まれる空間である。
【００６３】
具体的には、内部空間１４３の体積をＶ［ｍｍ３］、筐体１２０の外側から見えるフィルタ素子１６０の面積をＳ［ｍｍ２］とした場合、Ｖ／Ｓ≧１０の条件が満たされれば、フィルタ素子１６０の色が見えにくい効果が得られる。なお、照明装置１００においては、Ｖ／Ｓ≒１１であり、Ｖ／Ｓ≧１０の条件を満たす。
【００６４】
なお、照明装置１００においては、筒体１４０の第二開口１４２とフィルタ素子１６０との間にレンズ１５０が介在しており、筒体１４０、発光モジュール１３０、及びフィルタ素子１６０により囲まれる空間が閉じた空間ではない。このような場合、内部空間１４３は、筒体１４０の内壁面をフィルタ素子１６０側に延長した仮想的な面を用いて規定される。つまり、図６の（ａ）の破線で示される空間が内部空間１４３に相当する。
【００６５】
（その他の実施の形態）
以上、実施の形態について説明したが、本発明は、このような実施の形態に限定されるものではない。
【００６６】
また、上記実施の形態１で説明した筒体１４０の内壁は、発光モジュール１３０からの光を反射してレンズ１５０に入射する光量を増やすために、一般的には、白色である場合が多い。しかしながら、筒体１４０の内壁は、光を吸収しやすい黒色であってもよい。これにより、筒体１４０の内壁における反射により、筒体１４０内に入射した外光をさらに減衰させることができる。つまり、フィルタ素子１６０の色をさらに見えにくくすることができる。なお、筒体１４０の内壁を黒色にする手法は、特に限定されるものではなく、筒体１４０の内壁に黒色の塗料が塗布されてもよいし、筒体１４０を形成する樹脂材料が黒色であってもよい。
【００６７】
また、上記実施の形態では、出射口１２２の形状は、円形であったが、出射口１２２の形状は、矩形や、その他の多角形であってもよい。つまり、筐体１２０の外側から視認した場合のフィルタ素子１６０の形状は、矩形またはその他の多角形であってもよい。例えば、筐体１２０の外側から視認した場合のフィルタ素子１６０の形状が矩形である場合、上述の輪郭の長さＡは、当該矩形の四辺の長さの合計である。
【００６８】
また、上記実施の形態では、照明装置１００は、スポットライトであるとして説明された。しかしながら、本発明は、フィルタ素子を備える照明装置であれば、ダウンライトなどのスポットライト以外の照明装置にも適用可能である。
【００６９】
また、上記実施の形態では、発光モジュールは、ＣＯＢ構造の発光モジュールであったが、ＳＭＤ（Ｓｕｒｆａｃｅ  Ｍｏｕｎｔ  Ｄｅｖｉｃｅ）型であってもよい。
【００７０】
また、上記実施の形態では、発光モジュールには、発光素子としてＬＥＤが用いられたが、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子が用いられてもよい。
【００７１】
以上、一つまたは複数の態様に係る電気機器およびその製造方法について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【符号の説明】
【００７２】
１００  照明装置
１２０  筐体
１３０  発光モジュール（光源）
１４０  筒体
１４３  内部空間（空間）
１６０  フィルタ素子
【図１】
2016149269.tif 000003
【図２】
2016149269.tif 000004
【図３】
2016149269.tif 000005
【図４】
2016149269.tif 000006
【図５】
2016149269.tif 000007
【図６】
2016149269.tif 000008
【図７】
2016149269.tif 000009
【図８】
2016149269.tif 000010